【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
複数の無線基地局とツリー状のネットワークを構成する無線基地局であって、
無線端末との通信を行う端末通信部と、
他の無線基地局のうち局間通信の接続を待ち受けている無線基地局を発見した場合に、発見した他の無線基地局である前ホップ基地局を通信相手として局間通信の接続を行う接続部と、
前記端末通信部が前記無線端末と通信リンクを確立した場合、及び、前記接続部が前記前ホップ基地局を発見した場合に、局間通信の接続の待ち受けの稼動を開始する待受部と、
他の無線基地局である次ホップ基地局が前記接続部との間で局間通信を開始した場合に、前記無線端末又は前記前ホップ基地局と、前記次ホップ基地局との間の通信を中継する中継部とを備え、
待機時には、前記端末通信部は稼働し、前記接続部及び前記待受け部は稼働を停止しており、
前記待受部が稼働を停止している状態で、前記端末通信部が第１の無線端末と第１の通信リンクを確立した場合には、前記待受部の稼働を開始してツリー状のネットワークのルートとして動作し、前記中継部は前記第１の無線端末と他の無線基地局の通信を中継し、
他の無線基地局がルートとして動作しており、ルートとなる当該他の無線基地局と接続し、前記待受部が稼働している状態で、前記端末通信部が第２の無線端末と第２の通信リンクを確立した場合には、ツリー状のネットワークのノードとして動作し、前記中継部は前記第２の無線端末と他の無線基地局の通信を中継する、
無線基地局。
【請求項２】
前記接続部は、複数の前ホップ基地局を発見した場合には、発見した前記複数の前ホップ基地局のうち所定の基準により定められる一つの前ホップ基地局を選択し、選択した前記一つの前ホップ基地局と局間通信の接続を行う
請求項１に記載の無線基地局。
【請求項３】
前記接続部は、局間通信の接続をした状態において、前記複数の無線基地局のうち局間通信の接続を待ち受けている無線基地局の探索を行うことにより他の無線基地局を発見した場合には、（ｉ）接続している局間通信の接続を切断し、（ｉｉ）発見した前記他の無線基地局を前記前ホップ基地局として新たに局間通信の接続を行う、
請求項１又は２に記載の無線基地局。
【請求項４】
前記複数の無線基地局のそれぞれは、
前記第１の無線端末と前記端末通信部との間の前記第１の通信リンクが切断された場合、又は、前記前ホップ基地局との局間通信が切断された場合に、前記待受部の稼動を停止し、前記次ホップ基地局との局間通信を切断する
請求項１〜３のいずれか１項に記載の無線基地局。
【請求項５】
前記複数の無線基地局のそれぞれは、
前記第１の無線端末と前記端末通信部との間の前記第１の通信リンクが切断された場合に、他の無線基地局の端末通信部と前記第２の無線端末との間に前記第２の通信リンクが確立しているときには、前記待受部の動作を停止しない、
請求項４に記載の無線基地局。
【請求項６】
請求項１〜５のいずれか１項に記載の複数の無線基地局と、
複数の無線端末とを備え、
前記複数の無線基地局によりツリー状のネットワークを構成し、前記各無線端末は、前記ツリー状のネットワークのルート又はノードを構成する一つの無線基地局と通信リンクを確立する、
無線通信システム。
【手続補正２】
【補正対象書類名】明細書
【補正対象項目名】０００８
【補正方法】変更
【補正の内容】
【０００８】
上記課題を解決するために、本発明の一態様に係る無線基地局は、複数の無線基地局とツリー状のネットワークを構成する無線基地局であって、無線端末との通信を行う端末通信部と、他の無線基地局のうち局間通信の接続を待ち受けている無線基地局を発見した場合に、発見した他の無線基地局である前ホップ基地局を通信相手として局間通信の接続を行う接続部と、前記端末通信部が前記無線端末と通信リンクを確立した場合、及び、前記接続部が前記前ホップ基地局を発見した場合に、局間通信の接続の待ち受けの稼動を開始する待受部と、他の無線基地局である次ホップ基地局が前記接続部との間で局間通信を開始した場合に、前記無線端末又は前記前ホップ基地局と、前記次ホップ基地局との間の通信を中継する中継部とを備え、待機時には、前記端末通信部は稼働し、前記接続部及び前記待受け部は稼働を停止しており、前記待受部が稼働を停止している状態で、前記端末通信部が第１の無線端末と第１の通信リンクを確立した場合には、前記待受部の稼働を開始してツリー状のネットワークのルートとして動作し、前記中継部は前記第１の無線端末と他の無線基地局の通信を中継し、他の無線基地局がルートとして動作しており、ルートとなる当該他の無線基地局と接続し、前記待受部が稼働している状態で、前記端末通信部が第２の無線端末と第２の通信リンクを確立した場合には、ツリー状のネットワークのノードとして動作し、前記中継部は前記第２の無線端末と他の無線基地局の通信を中継する。
また、前記接続部は、複数の前ホップ基地局を発見した場合には、発見した前記複数の前ホップ基地局のうち所定の基準により定められる一つの前ホップ基地局を選択し、選択した前記一つの前ホップ基地局と局間通信の接続を行ってもよい。
また、前記接続部は、局間通信の接続をした状態において、前記複数の無線基地局のうち局間通信の接続を待ち受けている無線基地局の探索を行うことにより他の無線基地局を発見した場合には、（ｉ）接続している局間通信の接続を切断し、（ｉｉ）発見した前記他の無線基地局を前記前ホップ基地局として新たに局間通信の接続を行ってもよい。
また、前記複数の無線基地局のそれぞれは、前記第１の無線端末と前記端末通信部との間の前記第１の通信リンクが切断された場合、又は、前記前ホップ基地局との局間通信が切断された場合に、前記待受部の稼動を停止し、前記次ホップ基地局との局間通信を切断してもよい。
また、前記複数の無線基地局のそれぞれは、前記第１の無線端末と前記端末通信部との間の前記第１の通信リンクが切断された場合に、他の無線基地局の端末通信部と前記第２の無線端末との間に前記第２の通信リンクが確立しているときには、前記待受部の動作を停止しないようにしてもよい。
また、本発明の一態様に係る無線通信システムは、上記の複数の無線基地局と、複数の無線端末とを備え、前記複数の無線基地局によりツリー状のネットワークを構成し、前記各無線端末は、前記ツリー状のネットワークのルート又はノードを構成する一つの無線基地局と通信リンクを確立する。
また、上記課題を解決するために、本発明の一態様に係る無線通信システムは、複数の無線基地局を備える無線通信システムであって、前記複数の無線基地局のそれぞれは、前記複数の無線基地局のうちの他の無線基地局との通信である局間通信が可能であり、前記複数の無線基地局は、第一基地局、第二基地局、及び、第三基地局を含み、前記第一基地局は、無線端末との通信を行う端末通信部と、前記端末通信部が前記無線端末と通信リンクを確立した場合に、局間通信の接続の待ち受けを開始する第一待受部とを備え、前記第二基地局は、前記複数の無線基地局のうち局間通信の接続を待ち受けている前記第一基地局を発見した場合に、前記第一基地局を通信相手として局間通信の接続を行う第一接続部と、前記第一接続部が前記第一基地局を発見した場合に、局間通信の接続の待ち受けを開始する第二待受部とを備え、前記第三基地局は、前記複数の無線基地局のうち局間通信の接続を待ち受けている前記第二基地局を発見した場合に、前記第二基地局を通信相手として局間通信の接続を行う第二接続部を備え、前記第二基地局は、さらに、前記第一基地局と前記第三基地局との間の通信を中継する第一中継部を備える。
【手続補正３】
【補正対象書類名】明細書
【補正対象項目名】００１８
【補正方法】変更
【補正の内容】
【００１８】
また、本発明の一態様に係る無線通信システムは、第一無線通信システム及び第二無線通信システムを有し、前記無線通信システムは、前記第一及び前記第二無線通信システムを、前記第一及び前記第二無線通信システムのうち所定の基準により選択される一方に併合することにより生成される。